(57)【要約】【課題】生コンクリート用タンクを効果的な広告手段として利用したアジテータトラック及びその作製方法を提供する。【解決手段】アジテータトラック１は、生コンクリート用タンク２に、広告の対象となる缶コーヒーの如き物品の立体的形状を含む外観全体を模した広告用意匠４を施してなる。広告用意匠４は、生コンクリート用タンク２の周面上に貼付されるマーキング用フィルムによって構成される。マーキング用フィルムの貼付は、生コンクリート用タンク２を緩やかに回転させるようにすれば、作業場所を上下に移動させることなく、所定の高さにて容易に行なうことができる。【選択図】    図１
2004233857.tif 000002
【特許請求の範囲】
【請求項１】
生コンクリート用タンクを有するアジテータトラックであって、上記生コンクリート用タンクに、広告の対象となる物品の立体的形状を含む外観全体を模した広告用意匠を施してなることを特徴とする広告手段を備えたアジテータトラック。
【請求項２】
上記広告用意匠が、マーキング用フィルムを貼付することによって施されている請求項１に記載の広告手段を備えたアジテータトラック。
【請求項３】
生コンクリート用タンクを有するアジテータトラックに、広告用意匠を施すことからなる、広告手段を備えたアジテータトラックの作製方法であって、
（Ａ）広告の対象となる物品の立体的形状を含む外観全体を模した広告用意匠を表したマーキング用フィルムを作製する工程と、
（Ｂ）上記生コンクリート用タンクを回転させながら、上記生コンクリート用タンクに上記マーキング用フィルムを貼付する工程と
を含むことを特徴とする広告手段を備えたアジテータトラックの作製方法。
【発明の詳細な説明】
【０００１】
【発明の属する技術分野】
本発明は、宣伝広告機能を発揮することのできる広告手段を備えたアジテータトラック及びその作製方法に関する。
【０００２】
【従来の技術】
近年、人目に触れる機会の多い路線バス、電車、営業用ワゴン車等の車両の表面に、広告用の文字、絵柄等を表示して、宣伝広告を行なうことが多くなっている。特に、マーキング用フィルムと称される車両の装飾用の粘着フィルムは、装飾の対象となる車両への貼付及び剥離を容易に行なうことができるため、広告期間が限定されている場合や広告の内容を随時変更する必要がある場合等において、広く用いられている。
一方、輸送用車両のタンクの部分については、曲面の部分が多いため、広告用の文字や絵柄を表すことは、積極的には行なわれていなかった。例えば、特許文献１には、積載型タンク自動車の荷台上のタンクの両側を平板状の部材で覆い、この立設した平板状の部材の外面に広告を表示することが提案されている。
【０００３】
【特許文献１】
特開２００１−１１７５２０号公報（第１頁の要約）
【０００４】
【発明が解決しようとする課題】
従来、マーキング用フィルム等の宣伝広告媒体によって自動車等の車両に表示された広告は、広告の観察者（例えば、道路の脇に立つ歩行者）にとって、観察者の位置する側の車両の面に表示されたものしか見ることができなかった。また、車両に表示された広告は、車両本体に対する相対的な動きがないため、観察者に訴えかける力にも乏しかった。
特に、輸送用車両の固定式タンクは、曲面に形成されているため、広告を表示しづらいことに加えて、外部から見易い部分と見づらい部分とがあり、広告を表示する場所を限定せざるを得なかった。
【０００５】
一方、回転式タンクを有する車両として、生コンクリート工場から施工現場まで生コンクリートを運搬するアジテータトラックが知られている。アジテータトラックの生コンクリート用タンクには、セメント会社名やセメントの商品名等を塗料によって半永久的に表示することがある。しかし、生コンクリート用タンクの表面を利用して、セメント以外の種々の商品を宣伝広告することは、従来、行なわれていなかった。そのため、生コンクリート用タンクが回転式タンクである点に着目して、従来とは異なる方法で生コンクリート用タンクに広告表示を行なえば、自動車の車体や輸送用車両の固定式タンクに表示される広告とは異なる独特の広告宣伝効果を発揮することができると考えられる。
したがって、本発明は、生コンクリート用タンクを効果的な広告手段として利用したアジテータトラック及びその作製方法を提供することを目的とする。
【０００６】
【課題を解決するための手段】
本発明者は、上記課題を解決するために鋭意検討した結果、アジテータトラックの荷台に回転式タンクとして設置されている生コンクリート用タンクの表面に対し、広告の対象となる缶入り清涼飲料水の如き物品の立体的形状を含む外観全体を模した広告用意匠を施せば、アジテータトラックの走行時等において、道路の脇に立つ歩行者や他の車両の運転者等が、生コンクリート用タンクの表面に施された奇抜な広告に注意を喚起され、多大な宣伝広告効果を期待することができることに想到し、本発明を完成した。
【０００７】
すなわち、本発明（請求項１）の広告手段を備えたアジテータトラックは、生コンクリート用タンクを有するアジテータトラックであって、上記生コンクリート用タンクに、広告の対象となる物品（例えば、缶入り清涼飲料水）の立体的形状を含む外観全体を模した広告用意匠を施してなることを特徴とする。
このように構成すれば、アジテータトラックの走行時等において、アジテータトラックの周囲にいる歩行者や他の車両の運転者等は、生コンクリート用タンクの表面に施された缶入り清涼飲料水の如き物品を模した立体的な広告用意匠が、生コンクリート用タンクの回転に伴って徐々に回転移動することから、この広告用意匠に注目し、この広告用意匠に係る物品に対する購買意欲を高めることになる。こうして、生コンクリート用タンクに施された広告用意匠は、大きな宣伝広告機能を発揮する。
【０００８】
上記広告手段を備えたアジテータトラックにおいて、上記広告用意匠は、例えば、マーキング用フィルム（加飾用フィルム）を貼付することによって施すことができる（請求項２）。
このようにマーキング用フィルムを用いると、貼付及び剥離の作業が容易であることから、広告期間の終了時にマーキング用フィルムを剥がした後、新たな広告に係る他のマーキング用フィルムを貼付するというような広告表示の取替えを容易に行なうことができる。そのため、短期の広告表示やシリーズ物（すなわち、複数回更新することによって完結するもの）の広告表示も可能であり、幅広い業種から広告主を募ることができる。
【０００９】
本発明（請求項３）の広告手段を備えたアジテータトラックの作製方法は、生コンクリート用タンクを有するアジテータトラックに、広告用意匠を施すことからなる、広告手段を備えたアジテータトラックの作製方法であって、（Ａ）広告の対象となる物品の立体的形状を含む外観全体を模した広告用意匠を表したマーキング用フィルムを作製する工程と、（Ｂ）上記生コンクリート用タンクを回転させながら、上記生コンクリート用タンクに上記マーキング用フィルムを貼付する工程とを含むことを特徴とする。
本発明の方法によれば、工程（Ｂ）で、生コンクリート用タンクを回転させながら、マーキング用フィルムを貼付するので、生コンクリート用タンクの周面上を上下に移動しながら貼付作業を行なう必要がなく、所定の高さにおける定まった位置にて、容易かつ迅速に貼付作業を行なうことができる。
【００１０】
【発明の実施の形態】
以下、本発明について詳細に説明する。
本発明においては、広告媒体として、生コンクリート用タンクを有するアジテータトラックが用いられる。
アジテータトラックは、生コンクリートの製造工場から、生コンクリートの打設現場まで、片道９０分以内で生コンクリートを運搬する車両である。アジテータトラックは、荷台に生コンクリート用タンクを備えており、この生コンクリート用タンクを輸送中及びその前後の間中、所定の回転速度で常時緩やかに回転させることによって、生コンクリートの材料分離を防止している。
アジテータトラックは、生コンクリートを運搬する目的で使用されるものであり、走行中にその本来の目的を周囲の者に知らしめる必要がないため、路線バスやタクシーのように乗客が乗降する車両と異なり、広告用意匠を大きく施したとしても、周囲の者に混乱を引き起こすおそれがない。したがって、アジテータトラックは、路線バス等の他の車両と異なり、広告媒体としてより好適に使用することができる。
【００１１】
本発明においては、広告用意匠は、生コンクリート用タンクに施される。これには、次のような利点がある。
まず、生コンクリート用タンクは、表面積が大きくて、被覆物がないため、広告用意匠を施した場合に目立ち易く、宣伝広告機能を大いに発揮することができる。
また、生コンクリート用タンクは、宣伝広告機能を高めるために特別に回転させるものではなく、生コンクリートを収容している状態において、常時、回転させるものであるため、追加の設備や動力も不要である。
さらに、生コンクリート用タンクは、緩やかに回転するものであるため、施されている広告用意匠を周囲の者に容易に認識させることができ、また、回転速度が大きい場合に生じ得る目の疲れ等を生じさせることもない。
【００１２】
本発明において、生コンクリート用タンクには、広告の対象となる物品の立体的形状を含む外観全体を模した広告用意匠が施される。
広告の対象となる物品としては、例えば、缶入り清涼飲料水やアルコール飲料等、ＰＥＴボトル入り清涼飲料水やアルコール飲料等、ビン入り清涼飲料水やアルコール飲料等、日本酒の徳利、日本酒やワインやウイスキー等の木製の樽、ビールの金属製の樽（タンク）、豚の丸焼き（食肉加工会社名を表示したもの）、北京ダック（レストラン名を表示したもの）、跳躍する馬（競馬場の名を表示したもの）、ボーリングのピン（ボーリング場の名を表示したもの）等が挙げられる。
【００１３】
広告の対象となる物品の立体的形状は、必ずしも、生コンクリート用タンクの形状に類似している必要はない。すなわち、広告対象物品の外観全体を生コンクリート用タンクの周面の全域に亘って描くことによって、当該広告対象物品の立体的形状が、生コンクリート用タンク全体によって模されていると認識できればよい。例えば、広告用意匠が豚の丸焼きである場合には、周囲の者が、豚の丸焼きの立体的形状が表されていることを認識できれば十分である。
本発明において、生コンクリート用タンクに施される広告用意匠は、広告の対象となる物品の立体的形状を含む外観全体に対し、部分的に省略または簡略化したものであってもよい。例えば、缶コーヒーを模した広告用意匠を施す場合に、曲面である周面部分（すなわち、絵柄や商品名等が付された部分）のみを模して、平坦面である上面及び下面（すなわち、製造ロット番号等が付された部分）を省略することは、生コンクリート用タンクの構造上からも不可避であり、本発明において許容される。また、動物等を模した広告用意匠を施す場合に、その動物等の特徴部分を誇張して描き、特徴部分ではない部分を簡略化または省略して描くことは、宣伝広告機能を高めるために、むしろ好ましいことである。
【００１４】
生コンクリート用タンクの表面に広告用意匠を施す際の表示媒体としては、例えば、片面に粘着部を有するマーキング用フィルムや、直接塗布するための塗料等を挙げることができる。中でも、片面に粘着部を有するマーキング用フィルムは、貼付作業や、張替え時の剥離作業が容易である点で、好適に用いられる。
なお、片面に粘着部を有するマーキング用フィルムは、電車やバス等の外面を装飾するフリートマーキングに用いるための張替え可能なシート材として市販されている。
【００１５】
片面に粘着部を有するマーキング用フィルムは、例えば、フィルム本体である基材の片面に粘着層を形成させ、粘着層の面に剥離用フィルムを貼り合わせた積層体として作製される。このように構成されたマーキング用フィルムは、剥離用フィルムを粘着層から剥がし、基材と粘着層とからなるフィルムを生コンクリート用タンクの表面に貼付して使用される。
【００１６】
ここで、フィルム本体である基材を構成する材料としては、フィルム状（シート状）に成形可能なものであればよく、例えば、軟質ポリ塩化ビニル、塩化ビニル系共重合体（例えば、エチレン−塩化ビニル樹脂、酢酸ビニル−塩化ビニル樹脂等）、ポリウレタン樹脂、ポリオレフィン樹脂、ポリエステル樹脂等の合成樹脂が挙げられる。中でも、軟質ポリ塩化ビニル及び塩化ビニル系共重合体は、柔軟性、曲面貼付性、耐候性、成形性等に優れるため、好ましく用いられる。
なお、基材の材料中には、必要に応じて、可塑剤、顔料、紫外線吸収剤、熱安定剤等を添加することができる。
基材の厚みは、通常、１０〜４００μｍ、好ましくは２０〜１５０μｍ、より好ましくは３０〜１００μｍである。該厚みが１０μｍ未満であると、マーキング用フィルムの貼付時に作業しづらくなり、また、しわが生じ易くなる。該厚みが４００μｍを超えると、マーキング用フィルムのコストが増大し、また、曲面に対する貼付性が低下することがある。
基材の上に、シルクスクリーン印刷等の印刷手段で所望の文字や図柄を表すことによって、所望の意匠を施すことができる。
【００１７】
粘着層の材料に用いる粘着剤としては、例えば、アクリル系粘着剤、ウレタン系粘着剤、シリコン系粘着剤、ゴム系粘着剤等が挙げられる。粘着剤には、必要に応じて、顔料、紫外線吸収剤、粘着付与剤等を添加することができる。
粘着層の厚みは、通常、５〜２００μｍ、好ましくは１０〜１００μｍ、より好ましくは１５〜５０μｍである。該厚みが５μｍ未満では、所望の接着力が得られないおそれがあり、該厚みが２００μｍを超えると、製造コストが増大する反面、粘着力の増大をあまり期待することができなくなる。
剥離用フィルムとしては、例えば、不織布、紙、ポリエチレンテレフタレートフィルム等のプラスチックフィルム、シリコン樹脂等の合成樹脂を被覆した紙等が挙げられる。
【００１８】
次に、図面に基づいて、本発明のアジテータトラックの実施形態の例を説明する。
図１は、本発明のアジテータトラックの一例を示す正面図、図２は、図１に示すアジテータトラックに貼付されるマーキング用フィルムの貼付位置の一例を説明するための図、図３は、図１に示すアジテータトラックに貼付されるマーキング用フィルムの貼付位置の他の例を説明するための図、図４は、図１に示すアジテータトラックに貼付されるマーキング用フィルムの一例を示す表面図、図５は、図１に示すアジテータトラックに貼付されるマーキング用フィルムの他の例を示す表面図である。
【００１９】
なお、図２及び図３は、生コンクリート用タンクの表面を複数の区画に分けて、各々の区画に対応した複数のマーキング用フィルムを作製して用いる場合の例であり、図４及び図５は、生コンクリート用タンクの表面全体に対応した１つのマーキング用フィルムを作製して用いる場合の例である。
図１中、アジテータトラック１の生コンクリート用タンク２の表面には、缶コーヒーの外観全体を模した広告用意匠４が施されている。また、アジテータトラック１の車両本体３の運転席の側方にも、缶コーヒーの商品名を表示した広告表示５が施されている。
【００２０】
複数のマーキング用フィルムを用いる場合、広告用意匠４は、例えば、以下に説明する手順によって施すことができる。
まず、アジテータトラックに施す広告用意匠として、図１に示す広告用意匠４を製作して定めた後、この広告用意匠４を、図２に示すように、生コンクリート用タンクの回転軸に略垂直な方向で輪切りにし、複数の意匠部分６ａ，６ｂ，６ｃ・・・とする。なお、図２中、広告用意匠４の具体的な絵柄（文字）の図示を省略し、意匠部分６ａ，６ｂ，６ｃ・・・の境界線のみを点線で示している。
ここで、意匠部分６ａ，６ｂ，６ｃ・・・の各々は、長尺の帯状に形成されているため、貼付作業を容易に行なえるように、さらに複数の意匠部分（すなわち、周面に沿って適宜の長さに短く切って区画された部分）に分けてもよい。
【００２１】
次に、これらの意匠部分６ａ，６ｂ，６ｃ・・・の各々について、マーキング用フィルムを作製する。
そして、アジテータトラック１の荷台上の適宜の地点に作業場所を定めたうえで、生コンクリート用タンク２を緩やかに回転させている状態で、意匠部分６ａ，６ｂ，６ｃ・・・の各々に対応させて作製済みのマーキング用フィルムを、順次、生コンクリート用タンク２の表面に貼付していけば、広告用意匠４を完成させることができる。
運転席の側方の広告表示７も、マーキング用フィルムを貼付することによって容易に施すことができる。
【００２２】
複数のマーキング用フィルムを用いる場合、広告用意匠４は、次のようにして施すこともできる。
すなわち、図３に示すように、広告用意匠４を意匠部分８ａ，８ｂ，８ｃに分けたうえで、これらの意匠部分８ａ，８ｂ，８ｃ・・・の各々に対応させたマーキング用フィルムを作製し、これらのマーキング用フィルムを生コンクリート用タンク２に貼付してもよい。
ここで、意匠部分８ａ，８ｂ，８ｃ・・・の各々は、生コンクリート用タンク２の長さと略同じ長さを有し、かつ幅広の中央部を有する長尺の帯状に形成されたものである。意匠部分８ａ，８ｂ，８ｃ・・・の各々は、貼付作業を容易に行なえるように、さらに複数の意匠部分（例えば、幅広の中央部付近で半分に切った２つの意匠部分）に分けてもよい。
【００２３】
図３に示す例においても、作業者は、アジテータトラック１の荷台上の適宜の地点に作業場所を定めたうえで、生コンクリート用タンク２を緩やかに回転させている状態で、意匠部分８ａ，８ｂ，８ｃ・・・の各々に対応させて作製済みのマーキング用フィルムを、順次、生コンクリート用タンク２の表面に貼付していくことによって、広告用意匠４を完成させることができる。
広告用意匠４を複数の意匠部分に分ける際の分割方法は、図２や図３に示すものに限定されるものではなく、貼付作業が困難にならず、かつ、貼付後の広告用意匠４の美観を損なわない限りにおいて、任意の方法を採用することができる。
【００２４】
広告用意匠４を施すには、図４に示すマーキング用フィルム９や、図５に示すマーキング用フィルム１０を作製して、生コンクリート用タンク２上に貼付してもよい。
図４中、マーキング用フィルム９は、生コンクリート用タンク２の表面全体に対応させて作製されており、運転席に近い側の領域に対応する部分９ａと、中央部９ｂと、車体後方側の領域に対応する部分９ｃとから構成されている。アジテータトラック１の荷台上の適宜の地点に作業場所を定めたうえで、生コンクリート用タンク２を緩やかに回転させている状態で、図４に示す最も上側の縁辺から開始して、最も下側の縁辺で終了するように、マーキング用フィルム９を連続的に生コンクリート用タンク２の表面に貼付していけば、広告用意匠４を完成させることができる。
【００２５】
図５中、マーキング用フィルム１０は、生コンクリート用タンク２の表面全体に対応しており、生コンクリート用タンク２の周面（３６０度）に沿って１２０度毎に分けて、構成部分１０ａ，１０ｂ，１０ｃからなるものとして作製されている。この場合も、アジテータトラック１の荷台上の適宜の地点に作業場所を定めたうえで、生コンクリート用タンク２を緩やかに回転させている状態で、図５に示す最も上側の縁辺から開始して、最も下側の縁辺で終了するように、マーキング用フィルム１０を連続的に生コンクリート用タンク２の表面に貼付していけば、広告用意匠４を完成させることができる。
なお、図５では、３つの構成部分１０ａ，１０ｂ，１０ｃからなる例を示したが、４つ以上の構成部分からなるものとして作製しても差し支えない。
【００２６】
広告用意匠４を表すためのマーキング用フィルムは、必ずしも、生コンクリート用タンク２の周面全域に貼付する必要はなく、部分的に貼付されるものであってもよい。例えば、広告用意匠４を構成する部分のみに対して、マーキング用フィルムの粘着層の粘着力を大きなものとし、広告用意匠４を構成する部分と構成しない部分との境界に、ミシン目（点線状の孔）を設けておき、マーキング用フィルムの貼付後に、広告用意匠４を構成しない部分を剥ぎ取るようにすれば、生コンクリート用タンク２の地肌に対して、広告用意匠４を構成する部分のみを残すことができる。
【００２７】
【発明の効果】
本発明のアジテータトラックは、荷台上の生コンクリート用タンクの表面に施された缶入り清涼飲料水の如き物品を模した立体的な広告用意匠が、生コンクリート用タンクの回転に伴って徐々に回転移動するため、周囲の歩行者や他の車両の運転者等に、この立体的な広告用意匠に対する注意を喚起することができ、大きな宣伝広告機能を発揮することができる。
また、アジテータトラックの生コンクリート用タンクに広告用意匠を施すに際して、広告用意匠を表したマーキング用フィルムを作製した後、生コンクリート用タンクを緩やかに回転させながら、このマーキング用フィルムを生コンクリート用タンクに貼付するようにすれば、作業者は、生コンクリート用タンクの周面上を上下に移動する必要がなく、定位置にて作業を行なうことができる。この場合、マーキング用フィルムは、生コンクリート用タンクの表面全体に対応した単一のものとして用意してもよいし、あるいは、生コンクリート用タンクの表面を複数の区画に分け、各々の区画に対応した複数のものとして用意してもよい。
【図面の簡単な説明】
【図１】本発明のアジテータトラックの一例を示す正面図である。
【図２】図１に示すアジテータトラックに貼付されるマーキング用フィルムの貼付位置の一例を説明するための図である。
【図３】図１に示すアジテータトラックに貼付されるマーキング用フィルムの貼付位置の他の例を説明するための図である。
【図４】図１に示すアジテータトラックに貼付されるマーキング用フィルムの一例を示す表面図である。
【図５】図１に示すアジテータトラックに貼付されるマーキング用フィルムの他の例を示す表面図である。
【符号の説明】
１  アジテータトラック
２  生コンクリート用タンク
３  車両本体
４  広告用意匠
５  広告表示
６ａ，６ｂ，６ｃ  意匠部分（マーキング用フィルムの貼付位置）
７  表示部分（マーキング用フィルムの貼付位置）
８ａ，８ｂ，８ｃ  意匠部分（マーキング用フィルムの貼付位置）
９，１０  マーキング用フィルム
９ａ，９ｂ，９ｃ，１０ａ，１０ｂ，１０ｃ  マーキング用フィルムの構成部分
【図１】
2004233857.tif 000003
【図２】
2004233857.tif 000004
【図３】
2004233857.tif 000005
【図４】
2004233857.tif 000006
【図５】
2004233857.tif 000007